【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
自己開放式磁気圧縮吻合デバイスであって、前記吻合デバイスは、
端端結合された少なくとも４つの磁性区画のアセンブリを備え、前記少なくとも４つの磁性区画は、面外軸を有する多角形を形成し、各磁性区画は、北磁極および南磁極を有し、前記アセンブリは、
第１の接続部材を用いて一緒に結合された第１の対の磁性区画と、
第２の接続部材を用いて一緒に結合された第２の対の磁性区画と
を備え、
前記アセンブリは、前記磁性区画が２列に整列させられた送達構成であって、前記２列は、前記第１および第２の接続部材、または前記第１および第２の対の磁性区画を互いに結合する１つ以上の追加の接続部材によって接合されている、送達構成と、前記第１および第２の接続部材または前記追加の接続部材のうちの少なくとも１つによって提供される力に少なくとも部分的に基づいて前記磁性区画が開放多角形を形成している展開構成とを備えている、吻合デバイス。
【請求項２】
前記第１の対の磁性区画は、前記面外軸に関して互いに対して合わせられたそれらの北極を有し、前記第２の対の磁性区画は、前記面外軸に関して互いに対して合わせられたそれらの北極を有する、請求項１に記載の吻合デバイス。
【請求項３】
前記第１の対の磁性区画の北極は、前記面外軸に関して前記第２の対の磁性区画の北極と合わせられている、請求項２に記載の吻合デバイス。
【請求項４】
前記第１の対の磁性区画の北極は、前記面外軸に関して前記第２の対の磁性区画の北極と合わせられていない、請求項２に記載の吻合デバイス。
【請求項５】
前記第１の対の磁性区画は、前記面外軸に関して互いに対して合わせられていないそれらの北極を有し、前記第２の対の磁性区画は、前記面外軸に関して互いに対して合わせられていないそれらの北極を有する、請求項１に記載の吻合デバイス。
【請求項６】
前記磁性区画の北磁極は、区画毎に前記多角形の上部および底部に関する向きにおいて交互する、請求項１に記載の吻合デバイス。
【請求項７】
前記アセンブリは、４つの磁性区画を備えている、請求項１に記載の吻合デバイス。
【請求項８】
前記多角形は、上部および底部を有し、２つの磁性区画は、前記多角形の上部に向かって配列されたそれらの北磁極を有し、２つの他の磁性区画は、前記多角形の底部に向かって配列されたそれらの北磁極を有する、請求項７に記載の吻合デバイス。
【請求項９】
前記磁性区画の北磁極は、区画毎に前記多角形の上部および底部に関する向きにおいて交互する、請求項８に記載の吻合デバイス。
【請求項１０】
前記アセンブリは、第１の磁性区画と、前記第１の磁性区画に直隣接する第２の磁性区画と、前記第２の磁性区画に直隣接する第３の磁性区画と、前記第３および第１の磁性区画に直隣接する第４の磁性区画とを備えている、請求項９に記載の吻合デバイス。
【請求項１１】
前記第１および第３の磁性区画の北磁極は、前記多角形の上部に向かって配列され、前記第２および第４の磁性区画の北磁極は、前記多角形の底部に向かって配列されている、請求項１０に記載の吻合デバイス。
【請求項１２】
前記アセンブリは、８つの磁性区画を備え、前記アセンブリは、
第３の接続部材を用いて一緒に結合された第３の対の磁性区画と、
第４の接続部材を用いて一緒に結合された第４の対の磁性区画と
をさらに備えている、請求項１に記載の吻合デバイス。
【請求項１３】
前記送達構成にあるとき、前記磁性区画は、２列に整列させられ、前記２列は、前記第１および第３の接続部材、または前記第１、第２、第３、および第４の対の磁性区画のうちの少なくとも２つを互いに結合する１つ以上の追加の接続部材によって接合され、展開構成において、前記磁性区画は、前記第１、第２、第３、および第４の接続部材または追加の接続部材のうちの少なくとも１つによって提供される力に少なくとも部分的に基づいて、開放多角形を形成する、請求項１２に記載の吻合デバイス。
【請求項１４】
前記多角形は、上部および底部を有し、４つの磁性区画は、前記多角形の上部に向かって配列されたそれらの北磁極を有し、４つの他の磁性区画は、前記多角形の底部に向かって配列されたそれらの北磁極を有する、請求項１２に記載の吻合デバイス。
【請求項１５】
前記磁性区画の北磁極は、区画毎に前記多角形の上部および底部に関する向きにおいて交互する、請求項１４に記載の吻合デバイス。
【請求項１６】
前記アセンブリは、第１の磁性区画と、前記第１の磁性区画に直隣接する第２の磁性区画と、前記第２の磁性区画に直隣接する第３の磁性区画と、前記第３の磁性区画に直隣接する第４の磁性区画と、前記第４の磁性区画に直隣接する第５の磁性区画と、前記第５の磁性区画に直隣接する第６の磁性区画と、前記第６の磁性区画に直隣接する第７の磁性区画と、前記第１および第７の磁性区画に直隣接する第８の磁性区画とを備えている、請求項１５に記載の吻合デバイス。
【請求項１７】
前記第１、第３、第５、および第７の磁性区画の北磁極は、前記多角形の上部に向かって配列され、前記第２、第４、第６、および第８の磁性区画の北磁極は、前記多角形の底部に向かって配列されている、請求項１６に記載の吻合デバイス。
【請求項１８】
４つの隣接する磁性区画は、前記多角形の上部に向かって配列されたそれらの北磁極を有し、４つの他の隣接する磁性区画は、前記多角形の底部に向かって配列されたそれらの北磁極を有する、請求項１４に記載の吻合デバイス。
【請求項１９】
前記８つの磁性区画は、前記面外軸に関して同一方向に合わせられたそれらの北磁極を有する、請求項１４に記載の吻合デバイス。
【請求項２０】
前記接続部材のうちの１つ以上のものは、ステンレス鋼、プラスチック、またはニチノール材料を備えている、請求項１に記載の吻合デバイス。
【請求項２１】
前記接続部材のうちの１つ以上のものは、ばねを備えている、請求項１に記載の吻合デバイス。
【請求項２２】
前記接続部材のうちの１つ以上のものは、ヒンジを備えている、請求項１に記載の吻合デバイス。
【請求項２３】
前記接続部材のうちの１つ以上のものは、前記多角形の外部に結合されている、請求項１に記載の吻合デバイス。
【請求項２４】
前記接続部材のうちの１つ以上のものは、外骨格である、請求項２３に記載の吻合デバイス。
【請求項２５】
前記磁性区画は、希土類磁性材料を備えている、請求項１に記載の吻合デバイス。
【請求項２６】
前記多角形は、正方形、六角形、八角形、十角形、十二角形、十四角形、十六角形、十八角形、および二十角形から成る群から選択される、請求項１に記載の吻合デバイス。
【請求項２７】
前記送達構成にあるとき、前記磁性区画のアセンブリは、アクセスデバイスの作業チャネル内に収まり、患者内の解剖学的構造に送達されるようにサイズを決定されている、請求項１に記載の吻合デバイス。
【請求項２８】
前記アセンブリは、前記アクセスデバイスの作業チャネルから排出されると、前記送達構成から前記展開構成に自発的に変換するように構成されている、請求項２７に記載の吻合デバイス。
【請求項２９】
前記磁性区画のアセンブリは、ガイド要素に結合されるように構成され、前記送達構成から前記展開構成に遷移すると、前記ガイド要素の長さに沿って平行移動するように構成されている、請求項１に記載の吻合デバイス。
【手続補正２】
【補正対象書類名】明細書
【補正対象項目名】００２５
【補正方法】変更
【補正の内容】
【００２５】
いくつかの実施形態では、磁性区画のアセンブリは、ガイド要素に結合されるように構成され、送達構成から展開構成に遷移すると、ガイド要素の長さに沿って平行移動するように構成される。いくつかの実施形態では、ガイド要素は、アクセスデバイスの作業チャネル内に収まり、自己開放式磁気圧縮吻合デバイスに結合されるように構成されているガイドワイヤを含み得、磁性区画のアセンブリは、送達構成から展開構成に遷移するとき、ガイドワイヤの長さに沿って平行移動するように構成される。
本願明細書は、例えば、以下の項目も提供する。
（項目１）
自己開放式磁気圧縮吻合デバイスであって、前記吻合デバイスは、
端端結合された少なくとも４つの磁性区画のアセンブリを備え、前記少なくとも４つの磁性区画は、面外軸を有する多角形を形成し、各磁性区画は、北磁極および南磁極を有し、前記アセンブリは、
第１の接続部材を用いて一緒に結合された第１の対の磁性区画と、
第２の接続部材を用いて一緒に結合された第２の対の磁性区画と
を備え、
前記アセンブリは、前記磁性区画が２列に整列させられた送達構成であって、前記２列は、前記第１および第２の接続部材、または前記第１および第２の対の磁性区画を互いに結合する１つ以上の追加の接続部材によって接合されている、送達構成と、前記第１および第２の接続部材または前記追加の接続部材のうちの少なくとも１つによって提供される力に少なくとも部分的に基づいて前記磁性区画が開放多角形を形成している展開構成とを備えている、吻合デバイス。
（項目２）
前記第１の対の磁性区画は、前記面外軸に関して互いに対して合わせられたそれらの北極を有し、前記第２の対の磁性区画は、前記面外軸に関して互いに対して合わせられたそれらの北極を有する、項目１に記載の吻合デバイス。
（項目３）
前記第１の対の磁性区画の北極は、前記面外軸に関して前記第２の対の磁性区画の北極と合わせられている、項目２に記載の吻合デバイス。
（項目４）
前記第１の対の磁性区画の北極は、前記面外軸に関して前記第２の対の磁性区画の北極と合わせられていない、項目２に記載の吻合デバイス。
（項目５）
前記第１の対の磁性区画は、前記面外軸に関して互いに対して合わせられていないそれらの北極を有し、前記第２の対の磁性区画は、前記面外軸に関して互いに対して合わせられていないそれらの北極を有する、項目１に記載の吻合デバイス。
（項目６）
前記磁性区画の北磁極は、区画毎に前記多角形の上部および底部に関する向きにおいて交互する、項目１に記載の吻合デバイス。
（項目７）
前記アセンブリは、４つの磁性区画を備えている、項目１に記載の吻合デバイス。
（項目８）
前記多角形は、上部および底部を有し、２つの磁性区画は、前記多角形の上部に向かって配列されたそれらの北磁極を有し、２つの他の磁性区画は、前記多角形の底部に向かって配列されたそれらの北磁極を有する、項目７に記載の吻合デバイス。
（項目９）
前記磁性区画の北磁極は、区画毎に前記多角形の上部および底部に関する向きにおいて交互する、項目８に記載の吻合デバイス。
（項目１０）
前記アセンブリは、第１の磁性区画と、前記第１の磁性区画に直隣接する第２の磁性区画と、前記第２の磁性区画に直隣接する第３の磁性区画と、前記第３および第１の磁性区画に直隣接する第４の磁性区画とを備えている、項目９に記載の吻合デバイス。
（項目１１）
前記第１および第３の磁性区画の北磁極は、前記多角形の上部に向かって配列され、前記第２および第４の磁性区画の北磁極は、前記多角形の底部に向かって配列されている、項目１０に記載の吻合デバイス。
（項目１２）
前記アセンブリは、８つの磁性区画を備え、前記アセンブリは、
第３の接続部材を用いて一緒に結合された第３の対の磁性区画と、
第４の接続部材を用いて一緒に結合された第４の対の磁性区画と
をさらに備えている、項目１に記載の吻合デバイス。
（項目１３）
前記送達構成にあるとき、前記磁性区画は、２列に整列させられ、前記２列は、前記第１および第３の接続部材、または前記第１、第２、第３、および第４の対の磁性区画のうちの少なくとも２つを互いに結合する１つ以上の追加の接続部材によって接合され、展開構成において、前記磁性区画は、前記第１、第２、第３、および第４の接続部材または追加の接続部材のうちの少なくとも１つによって提供される力に少なくとも部分的に基づいて、開放多角形を形成する、項目１２に記載の吻合デバイス。
（項目１４）
前記多角形は、上部および底部を有し、４つの磁性区画は、前記多角形の上部に向かって配列されたそれらの北磁極を有し、４つの他の磁性区画は、前記多角形の底部に向かって配列されたそれらの北磁極を有する、項目１２に記載の吻合デバイス。
（項目１５）
前記磁性区画の北磁極は、区画毎に前記多角形の上部および底部に関する向きにおいて交互する、項目１４に記載の吻合デバイス。
（項目１６）
前記アセンブリは、第１の磁性区画と、前記第１の磁性区画に直隣接する第２の磁性区画と、前記第２の磁性区画に直隣接する第３の磁性区画と、前記第３の磁性区画に直隣接する第４の磁性区画と、前記第４の磁性区画に直隣接する第５の磁性区画と、前記第５の磁性区画に直隣接する第６の磁性区画と、前記第６の磁性区画に直隣接する第７の磁性区画と、前記第１および第７の磁性区画に直隣接する第８の磁性区画とを備えている、項目１５に記載の吻合デバイス。
（項目１７）
前記第１、第３、第５、および第７の磁性区画の北磁極は、前記多角形の上部に向かって配列され、前記第２、第４、第６、および第８の磁性区画の北磁極は、前記多角形の底部に向かって配列されている、項目１６に記載の吻合デバイス。
（項目１８）
４つの隣接する磁性区画は、前記多角形の上部に向かって配列されたそれらの北磁極を有し、４つの他の隣接する磁性区画は、前記多角形の底部に向かって配列されたそれらの北磁極を有する、項目１４に記載の吻合デバイス。
（項目１９）
前記８つの磁性区画は、前記面外軸に関して同一方向に合わせられたそれらの北磁極を有する、項目１４に記載の吻合デバイス。
（項目２０）
前記接続部材のうちの１つ以上のものは、ステンレス鋼、プラスチック、またはニチノール材料を備えている、項目１に記載の吻合デバイス。
（項目２１）
前記接続部材のうちの１つ以上のものは、ばねを備えている、項目１に記載の吻合デバイス。
（項目２２）
前記接続部材のうちの１つ以上のものは、ヒンジを備えている、項目１に記載の吻合デバイス。
（項目２３）
前記接続部材のうちの１つ以上のものは、前記多角形の外部に結合されている、項目１に記載の吻合デバイス。
（項目２４）
前記接続部材のうちの１つ以上のものは、外骨格である、項目２３に記載の吻合デバイス。
（項目２５）
前記磁性区画は、希土類磁性材料を備えている、項目１に記載の吻合デバイス。
（項目２６）
前記多角形は、正方形、六角形、八角形、十角形、十二角形、十四角形、十六角形、十八角形、および二十角形から成る群から選択される、項目１に記載の吻合デバイス。
（項目２７）
前記送達構成にあるとき、前記磁性区画のアセンブリは、アクセスデバイスの作業チャネル内に収まり、患者内の解剖学的構造に送達されるようにサイズを決定されている、項目１に記載の吻合デバイス。
（項目２８）
前記アセンブリは、前記アクセスデバイスの作業チャネルから排出されると、前記送達構成から前記展開構成に自発的に変換するように構成されている、項目２７に記載の吻合デバイス。
（項目２９）
前記磁性区画のアセンブリは、ガイド要素に結合されるように構成され、前記送達構成から前記展開構成に遷移すると、前記ガイド要素の長さに沿って平行移動するように構成されている、項目１に記載の吻合デバイス。
（項目３０）
吻合を形成するためのシステムであって、前記システムは、
端端結合された少なくとも４つの磁性区画のアセンブリを備えている自己開放式磁気圧縮吻合デバイスであって、前記少なくとも４つの磁性区画は、多角形を形成し、面外軸を有し、前記アセンブリは、
第１の接続部材を用いて一緒に結合された第１の対の磁性区画と、第２の接続部材を用いて一緒に結合された第２の対の磁性区画とを備え、
前記アセンブリは、前記磁性区画が２列に整列させられた送達構成であって、前記２列は、前記第１および第２の接続部材、または前記第１および第２の対の磁性区画を互いに結合する１つ以上の追加の接続部材によって接合されている、送達構成と、前記第１および第２の接続部材または前記追加の接続部材のうちの少なくとも１つによって提供される力に少なくとも部分的に基づいて前記磁性区画が開放多角形を形成している展開構成とを備えている、
自己開放式磁気圧縮吻合デバイスと、
患者内の解剖学的構造へのアクセスを提供するように構成されたアクセスデバイスであって、前記送達構成にあるとき、前記磁性区画のアセンブリは、前記アクセスデバイスの作業チャネル内に収まり、前記解剖学的構造に送達されるようにサイズを決定されている、アクセスデバイスと、
前記アクセスデバイスの作業チャネル内に収まり、前記自己開放式磁気圧縮吻合デバイスに結合されるように構成されているガイドワイヤであって、前記磁性区画のアセンブリは、前記送達構成から前記展開構成に遷移するとき、前記ガイドワイヤの長さに沿って平行移動するように構成されている、ガイドワイヤと
を備えている、システム。
（項目３１）
前記アクセスデバイスの作業チャネル内に収まるように構成されているマニピュレータをさらに備え、前記マニピュレータは、前記マニピュレータが前記アクセスデバイスの作業チャネルの外に前記自己開放式磁気圧縮吻合デバイスの配置を誘導することを可能にするために、前記アクセスデバイスに対して独立して平行移動可能であるように構成されている、項目３０に記載のシステム。
（項目３２）
前記アクセスデバイスは、内視鏡、腹腔鏡、トロカール、およびカニューレから成る群から選択される、項目３０に記載のシステム。
（項目３３）
前記第１の対の磁性区画は、前記面外軸に関して互いに対して合わせられたそれらの北極を有し、前記第２の対の磁性区画は、前記面外軸に関して互いに対して合わせられたそれらの北極を有する、項目３０に記載のシステム。
（項目３４）
前記第１の対の磁性区画の北極は、前記面外軸に関して前記第２の対の磁性区画の北極と合わせられている、項目３３に記載のシステム。
（項目３５）
前記第１の対の磁性区画の北極は、前記面外軸に関して前記第２の対の磁性区画の北極と合わせられていない、項目３３に記載のシステム。
（項目３６）
前記第１の対の磁性区画は、前記面外軸に関して互いに対して合わせられていないそれらの北極を有し、前記第２の対の磁性区画は、前記面外軸に関して互いに対して合わせられていないそれらの北極を有する、項目３０に記載のシステム。
（項目３７）
前記磁性区画の北磁極は、区画毎に前記多角形の上部および底部に関する向きにおいて交互する、項目３０に記載のシステム。
（項目３８）
前記アセンブリは、４つの磁性区画を備えている、項目３０に記載のシステム。
（項目３９）
前記多角形は、上部および底部を有し、２つの磁性区画は、前記多角形の上部に向かって配列されたそれらの北磁極を有し、２つの他の磁性区画は、前記多角形の底部に向かって配列されたそれらの北磁極を有する、項目３８に記載のシステム。
（項目４０）
前記磁性区画の北磁極は、区画毎に前記多角形の上部および底部に関する向きにおいて交互する、項目３９に記載のシステム。
（項目４１）
前記アセンブリは、第１の磁性区画と、前記第１の磁性区画に直隣接する第２の磁性区画と、前記第２の磁性区画に直隣接する第３の磁性区画と、前記第３および第１の磁性区画に直隣接する第４の磁性区画とを備えている、項目４０に記載のシステム。
（項目４２）
前記第１および第３の磁性区画の北磁極は、前記多角形の上部に向かって配列され、前記第２および第４の磁性区画の北磁極は、前記多角形の底部に向かって配列されている、項目４１に記載のシステム。
（項目４３）
前記アセンブリは、８つの磁性区画を備え、前記アセンブリは、
第３の接続部材を用いて一緒に結合された第３の対の磁性区画と、
第４の接続部材を用いて一緒に結合された第４の対の磁性区画と、
をさらに備えている、項目１に記載のシステム。
（項目４４）
前記送達構成にあるとき、前記磁性区画は、２列に整列させられ、前記２列は、前記第１および第３の接続部材、または前記第１、第２、第３、および第４の対の磁性区画のうちの少なくとも２つを互いに結合している１つ以上の追加の接続部材によって接合され、前記展開構成にあるとき、前記磁性区画は、前記第１、第２、第３、および第４の接続部材または追加の接続部材のうちの少なくとも１つによって提供される力に少なくとも部分的に基づいて、開放多角形を形成する、項目４３に記載のシステム。
（項目４５）
前記多角形は、上部および底部を有し、４つの磁性区画は、前記多角形の上部に向かって配列されたそれらの北磁極を有し、４つの他の磁性区画は、前記多角形の底部に向かって配列されたそれらの北磁極を有する、項目４３に記載のシステム。
（項目４６）
前記磁性区画の北磁極は、区画毎に前記多角形の上部および底部に関する向きにおいて交互する、項目４５に記載のシステム。
（項目４７）
前記アセンブリは、第１の磁性区画と、前記第１の磁性区画に直隣接する第２の磁性区画と、前記第２の磁性区画に直隣接する第３の磁性区画と、前記第３の磁性区画に直隣接する第４の磁性区画と、前記第４の磁性区画に直隣接する第５の磁性区画と、前記第５の磁性区画に直隣接する第６の磁性区画と、前記第６の磁性区画に直隣接する第７の磁性区画と、前記第１および第７の磁性区画に直隣接する第８の磁性区画とを備えている、項目４６に記載のシステム。
（項目４８）
前記第１、第３、第５、および第７の磁性区画の北磁極は、前記多角形の上部に向かって配列され、前記第２、第４、第６、および第８の磁性区画の北磁極は、前記多角形の底部に向かって配列されている、項目４７に記載のシステム。
（項目４９）
４つの隣接する磁性区画は、前記多角形の上部に向かって配列されたそれらの北磁極を有し、４つの他の隣接する磁性区画は、前記多角形の底部に向かって配列されたそれらの北磁極を有する、項目４５に記載のシステム。
（項目５０）
前記８つの磁性区画は、前記面外軸に関して同一方向に合わせられたそれらの北磁極を有する、項目４５に記載のシステム。
（項目５１）
前記接続部材のうちの１つ以上のものは、ステンレス鋼、プラスチック、またはニチノール材料を備えている、項目３０に記載のシステム。
（項目５２）
前記接続部材のうちの１つ以上のものは、ばねを備えている、項目３０に記載のシステム。
（項目５３）
前記接続部材のうちの１つ以上のものは、ヒンジを備えている、項目３０に記載のシステム。
（項目５４）
前記接続部材のうちの１つ以上のものは、前記多角形の外部に結合されている、項目３０に記載のシステム。
（項目５５）
前記接続部材のうちの１つ以上のものは、外骨格である、項目５４に記載のシステム。
（項目５６）
前記磁性区画は、希土類磁性材料を備えている、項目３０に記載のシステム。
（項目５７）
前記多角形は、正方形、六角形、八角形、十角形、十二角形、十四角形、十六角形、十八角形、および二十角形から成る群から選択される、項目３０に記載のシステム。